(57)【要約】【課題】Ｘ線イメージ管の種類に対応可能な構造にでき、部品の共通化を図れ、安価にできるＸ線イメージ管の定電圧電源装置31を提供する。【解決手段】Ｘ線イメージ管の複数の電極の１つずつに対応して、複数の電圧出力回路ユニット32を個別に設ける。複数の電圧出力回路ユニット32のいずれも組み合わせ可能な定電圧電源本体33を設ける。Ｘ線イメージ管の種類に対応して必要な電圧出力回路ユニット32のみを定電圧電源本体33に組み合わせて定電圧電源装置31を構成する。【選択図】図１
2010073677.tif 000002
【特許請求の範囲】
【請求項１】
複数の電極を備えたＸ線イメージ管の定電圧電源装置において、
前記複数の電極の１つずつに対応して個別に設けられた複数の電圧出力回路ユニットと、
これら複数の電圧出力回路ユニットのいずれも組み合わせ可能で、かつ前記Ｘ線イメージ管の種類に対応して必要な前記電圧出力回路ユニットのみが組み合わせられ、組み合わされた電圧出力回路ユニットに動作電圧を印加する定電圧電源本体と
を具備していることを特徴とするＸ線イメージ管の定電圧電源装置。
【請求項２】
前記定電圧電源本体は、形状の異なる複数の種類が設けられ、前記Ｘ線イメージ管の種類に対応していずれかが用いられる
ことを特徴とする請求項１に記載のＸ線イメージ管の定電圧電源装置。
【請求項３】
前記定電圧電源本体は、対応する前記電圧出力回路ユニットを個別に装着する複数の装着部が設けられている
ことを特徴とする請求項１または２に記載のＸ線イメージ管の定電圧電源装置。
【請求項４】
電圧出力回路ユニットには、前記Ｘ線イメージ管の陰極、集束電極、陽極の各電極用の電圧出力回路ユニットとともに、前記Ｘ線イメージ管のスパッタイオンポンプ用の電圧出力回路ユニットも含まれる
ことを特徴とする請求項１ないし３いずれかに記載のＸ線イメージ管の定電圧電源装置。
【請求項５】
前記Ｘ線イメージ管の各電極への供給電圧は陰極が０Ｖ、集束電極が１０Ｖ〜３００００Ｖ、陽極が２５０００Ｖ〜３５０００Ｖであり、前記スパッタイオンポンプへの供給電圧は５００Ｖ〜２８０００Ｖである
ことを特徴とする請求項４に記載のＸ線イメージ管の定電圧電源装置。
【発明の詳細な説明】
【技術分野】
【０００１】
本発明は、Ｘ線イメージ管の複数の電極に電圧を供給するＸ線イメージ管の定電圧電源装置に関する。
【背景技術】
【０００２】
Ｘ線イメージ管では、陰極、集束電極、陽極などの複数の電極に電圧を供給する定電圧電源装置が用いられている（例えば、特許文献１参照。）。
【０００３】
一般的な定電圧電源装置は、一体型であり、各電極に接続されて電圧を供給する複数の端子部を備えているが、端子部の数はＸ線イメージ管の電極数に対応している。すなわち、Ｘ線イメージ管と一体型の定電圧電源装置とは一対一の関係にあり、陰極、集束電極、陽極の３極のＸ線イメージ管の場合には３極分の電圧出力可能な定電圧電源装置が用いられ、また、陰極、４つの集束電極、陽極の６極のＸ線イメージ管の場合には６極分の電圧出力可能な定電圧電源装置が用いられている。
【０００４】
そのため、Ｘ線イメージ管の電極数を変更する場合、対応する定電圧電源装置が無い場合には、新たな一体型の定電圧電源装置を作製しなければならない。
【特許文献１】特開平７−１８２９９７号公報（第２−３頁、図１−３）
【発明の概要】
【発明が解決しようとする課題】
【０００５】
上述のように、Ｘ線イメージ管の電極数を変更する場合、該当する定電圧電源装置が無い場合には、新たな一体型の定電圧電源装置を作製しなければならない。
【０００６】
この新たな一体型の定電圧電源装置を作製することは、Ｘ線イメージ管の電極数を変更する場合の対処方法の一例であるが、一体型の定電圧電源装置の種類が多くなり、少量多品種となって、一体型の定電圧電源装置の価格が高くなる問題点を有する。
【０００７】
このように、一体型の定電圧電源装置の価格が高くなることで、Ｘ線イメージ管の価格上昇にもつながり、市場でコスト面の競争力が低下したり、また、Ｘ線イメージ管の製品化にも遅れが生じ、市場が要求する時期にＸ線イメージ管を供給できない不都合が生じる。
【０００８】
本発明は、このような点に鑑みなされたもので、Ｘ線イメージ管の種類に対応可能な構造にでき、部品の共通化を図れ、安価にできるＸ線イメージ管の定電圧電源装置を提供することを目的とする。
【課題を解決するための手段】
【０００９】
本発明は、複数の電極を備えたＸ線イメージ管の定電圧電源装置において、前記複数の電極の１つずつに対応して個別に設けられた複数の電圧出力回路ユニットと、これら複数の電圧出力回路ユニットのいずれも組み合わせ可能で、かつ前記Ｘ線イメージ管の種類に対応して必要な前記電圧出力回路ユニットのみが組み合わせられ、組み合わされた電圧出力回路ユニットに動作電圧を印加する定電圧電源本体とを具備しているものである。
【発明の効果】
【００１０】
本発明によれば、Ｘ線イメージ管の電極の１つずつに対応して個別に電圧出力回路ユニットを設け、Ｘ線イメージ管の種類に対応して必要な電圧出力回路ユニットのみを定電圧電源本体に組み合わせて定電圧電源装置を構成することにより、定電圧電源装置をＸ線イメージ管の種類に対応可能な構造にでき、部品の共通化を図れ、安価にできる。
【図面の簡単な説明】
【００１１】
【図１】本発明の一実施の形態を示す定電圧電源装置の分解状態の斜視図である。
【図２】同上定電圧電源装置の６極の電極を有する場合の組立状態の斜視図である。
【図３】同上定電圧電源装置の３極の電極を有する場合の組立状態の斜視図である。
【図４】同上定電圧電源装置の定電圧電源本体の他の形状を示す斜視図である。
【図５】同上定電圧電源装置の他の形状の定電圧電源本体を用いた組立状態の斜視図である。
【図６】同上定電圧電源装置を適用するＸ線イメージ管の説明図である。
【図７】同上定電圧電源装置を適用するＸ線イメージ管の他の例を示す説明図である。
【発明を実施するための形態】
【００１２】
以下、本発明の一実施の形態を、図面を参照して説明する。
【００１３】
図６および図７に示すように、11はＸ線イメージ管で、このＸ線イメージ管11は、真空外囲器12を有し、この真空外囲器12のＸ線の入射側には入力窓13が形成され、入力窓13に対して反対側には出力窓14が形成されている。
【００１４】
真空外囲器12内には、入力窓13の内側に入射したＸ線を電子に変換して放出する陰極15である入力面16が設けられ、出力窓14の内側に入力面16からの電子を可視光像に変換して出力する出力面17およびこの出力面17の入力側に陽極18が設けられている。
【００１５】
入力面16から出力面17に向かって進行する電子の進路に沿って電子を加速、集束する電子レンズを構成する集束電極19が配設されている。そして、図６に示すＸ線イメージ管11は、陰極15、１つの集束電極19、陽極18の３極の電極20を有する場合を示し、また、図７に示すＸ線イメージ管11は、陰極15、第１から第４の４つの集束電極19a，19b，19c，19d、陽極18の６極の電極20を有する場合を示す。
【００１６】
また、真空外囲器12内には、真空外囲器12内の真空度を高くするためのスパッタイオンポンプ21が配設されている。
【００１７】
図１ないし図３には、Ｘ線イメージ管11の定電圧電源装置31を示す。この定電圧電源装置31は、複数の電極20の１つずつに対応して適切な電圧を供給するように個別に設けられた複数の電圧出力回路ユニット32と、これら複数の電圧出力回路ユニット32のいずれも組み合わせ可能で、かつＸ線イメージ管11の種類に対応して必要な電圧出力回路ユニット32のみが組み合わせられ、組み合わされた電圧出力回路ユニット32に動作電圧を印加する定電圧電源本体33とを備えている。
【００１８】
電圧出力回路ユニット32は、陽極18用の電圧出力回路ユニット32a、第４の集束電極19d用の電圧出力回路ユニット32b、第１ないし第３の集束電極19a〜19c用の電圧出力回路ユニット32c、スパッタイオンポンプ21用の電圧出力回路ユニット32dが個別に設けられている。これら電圧出力回路ユニット32は、対応する電圧を出力する図示しない電圧出力回路を有し、この電圧出力回路の出力端子部34がユニット外面に臨んで設けられている。
【００１９】
定電圧電源本体33は、平板状の基板35を有し、この基板35に、電圧出力回路ユニット32を装着する複数の装着部36、陰極15を接続する０Ｖ電位（接地）の陰極端子部37、定電圧電源の動作電圧が入力される入力部38が設けられている。
【００２０】
定電圧電源本体33の装着部36は、定電圧電源装置31が組み合わされるＸ線イメージ管11のうち、電極数が最大のＸ線イメージ管11に組合させる電圧出力回路ユニット32に対応した数だけ設けられている。例えば、図７に示したＸ線イメージ管11であれば、陽極18用の電圧出力回路ユニット32aを装着する装着部36a、第４の集束電極19d用の電圧出力回路ユニット32bを装着する装着部36b、第１ないし第３の集束電極19a〜19c用の３つの電圧出力回路ユニット32cを装着する装着部36c、スパッタイオンポンプ21用の電圧出力回路ユニット32dを装着する装着部36dのいずれも装着可能に、６箇所に設けられている。
【００２１】
定電圧電源装置31からＸ線イメージ管11の各電極20への供給電圧は陰極15が０Ｖ、集束電極19が１０Ｖ〜３００００Ｖ、陽極18が２５０００Ｖ〜３５０００Ｖであり、スパッタイオンポンプ21への供給電圧は５００Ｖ〜２８０００Ｖである。
【００２２】
そして、図７に示したＸ線イメージ管11に対応した定電圧電源装置31を作製するには、図２に示すように、定電圧電源本体33の該当する装着部36に、陽極18用の電圧出力回路ユニット32a、第４の集束電極19d用の電圧出力回路ユニット32b、第１ないし第３の集束電極19a〜19c用の３つの電圧出力回路ユニット32c、スパッタイオンポンプ21用の電圧出力回路ユニット32dを装着する。
【００２３】
また、図６に示したＸ線イメージ管11に対応した定電圧電源装置31を作製するには、図３に示すように、定電圧電源本体33の該当する装着部36に、陽極18用の電圧出力回路ユニット32a、１つの集束電極19用の電圧出力回路ユニット32c、スパッタイオンポンプ21用の電圧出力回路ユニット32dのみを装着する。
【００２４】
このように、Ｘ線イメージ管11の電極20の１つずつに対応して個別に電圧出力回路ユニット32を設け、Ｘ線イメージ管11の種類に対応して必要な電圧出力回路ユニット32のみを定電圧電源本体33に組み合わせて定電圧電源装置31を構成することにより、定電圧電源装置31をＸ線イメージ管11の種類に対応可能な構造にでき、部品の共通化を図れ、安価にできる。これにより、Ｘ線イメージ管11の価格上昇を抑え、Ｘ線イメージ管11に対する市場の要求に応えることができる。
【００２５】
また、定電圧電源本体33に、電極数が最大のＸ線イメージ管11との組み合わせを可能とする最大数分の装着部36を予め設けておくことにより、いずれの電極数のＸ線イメージ管11についても電圧出力回路ユニット32を容易に変更して組み合わせることができる。
【００２６】
さらに、スパッタイオンポンプ21用の電圧出力回路ユニット32dも個別に設け、複数の電極用の電圧出力回路ユニット32とともに定電圧電源本体33に装着できるため、この点でも、定電圧電源装置31をＸ線イメージ管11の種類に対応可能な構造にでき、部品の共通化を図れ、安価にできる。
【００２７】
また、図４および図５に示すように、電圧出力回路ユニット32を個別に設けているため、定電圧電源装置31を設置する空間に応じて定電圧電源本体33の形状を任意に設定することができる。ここでは、基板35を中央部で折曲した形状で、その中央部の両側の各面に各装着部36を設けている。
【００２８】
図５の例では、定電圧電源本体33に、陽極18用の電圧出力回路ユニット32a、集束電極19用（第４の集束電極19d用）の電圧出力回路ユニット32b、集束電極19用（第３の集束電極19c用）の１つの電圧出力回路ユニット32c、スパッタイオンポンプ21用の電圧出力回路ユニット32dを装着し、２つの装着部36cは空いている。
【００２９】
このように、電圧出力回路ユニット32を個別に設けているため、定電圧電源装置31を設置する空間に応じて定電圧電源本体33の形状を任意に設定することができるため、Ｘ線イメージ管11の管容器設計の形状あるいは寸法制限を抑えられる効果がある。
【符号の説明】
【００３０】
11    Ｘ線イメージ管
15    陰極
18    陽極
19    集束電極
20    電極
21    スパッタイオンポンプ
31    定電圧電源装置
32    電圧出力回路ユニット
33    定電圧電源本体
36    装着部
【図１】
2010073677.tif 000003
【図２】
2010073677.tif 000004
【図３】
2010073677.tif 000005
【図４】
2010073677.tif 000006
【図５】
2010073677.tif 000007
【図６】
2010073677.tif 000008
【図７】
2010073677.tif 000009